【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
近接場通信（ＮＦＣ）を利用して、音楽プレイリストを共有する方法であって、
前記方法は、
ａ）プレイリスト識別子（プレイリストＩＤ）を音楽ファイルのプレイリストに割り当てることと、
ｂ）前記近接場通信を利用して、ＮＦＣチップからＮＦＣ対応装置にＮＦＣ識別子（ＮＦＣ-ＩＤ）を受信することと、
ｃ）前記ＮＦＣ対応装置を利用して、前記プレイリストＩＤを前記ＮＦＣチップに書き込むことと、
ｄ）前記ＮＦＣ-ＩＤおよび前記プレイリストＩＤをサーバシステムに保存することであって、前記サーバシステムは後続のＮＦＣ対応装置の長期メモリに音楽ファイルをダウンロードすることなくストリーミングするための、プレイリストＩＤで符号化された音楽ファイルのアクセス可能なコピーを有することと、
ｅ）前記後続のＮＦＣ対応装置により、前記ＮＦＣチップから前記ＮＦＣ-ＩＤおよび前記プレイリストＩＤを受信することと、
ｆ）前記後続のＮＦＣ対応装置上で受信した前記ＮＦＣ-ＩＤおよび前記プレイリストＩＤを前記サーバシステムと認証し、認証された場合、
ｇ）再生するための前記音楽ファイルのコピーをダウンロードすることなく、前記後続のＮＦＣ対応装置を通して、前記音楽ファイルのコピーをストリーミングし、前記プレイリスト内の音楽ファイルの１以上をストリーミングする、予め定められた時間または予め定められた繰り返し頻度に、ストリーミングが制限されることとを含む、方法。
【請求項２】
前記プレイリストＩＤは前記ＮＦＣ対応装置により生成される、請求項１に記載の方法。
【請求項３】
前記プレイリストＩＤは前記サーバシステムにより生成される、請求項１に記載の方法。
【請求項４】
前記ＮＦＣチップは、ＮＦＣビーズを形成するためにポリマーでハウジングされる、請求項１に記載の方法。
【請求項５】
前記プレイリスト内の音楽ファイルの１以上をストリーミングする、予め定められた繰り返し頻度に、ストリーミングが制限される、請求項１に記載の方法。
【請求項６】
前記ＮＦＣ-ＩＤおよび前記プレイリストＩＤを認証するステップの後に、前記後続のＮＦＣ対応装置を利用して、音楽ファイルの１以上を購入するオプションが提示されることをさらに含む、請求項１に記載の方法。
【請求項７】
近接場通信（ＮＦＣ）対応装置間で音楽ファイルを送信するための方法であって、
前記方法は
ａ）前記ＮＦＣ対応装置に音楽ファイルのライブラリを提供することと、
ｂ）ＮＦＣ-ＩＤ、購入コードおよび前記ライブラリからの音楽ファイルをサーバシステム上のユーザアカウントに登録することと、
ｃ）後続のＮＦＣ対応装置を利用して、ＮＦＣチップから前記ＮＦＣ-ＩＤを読み取ることと、
ｄ）前記ＮＦＣチップを利用することなく、前記後続のＮＦＣ対応装置に購入コードを入力することと、
ｅ）前記サーバシステム上で前記ＮＦＣ-ＩＤおよび購入コードを認証することと、
ｆ）前記ユーザのアカウントからの音楽ファイルを異なるユーザのアカウントに送信するための許可を要求し、承認された場合、
ｇ）前記音楽ファイルのライブラリから前記音楽ファイルを削除することと、
ｈ）前記購入コードおよび音楽ファイルを前記異なるユーザのアカウントに登録することと、オプション的に、
ｉ）前記後続のＮＦＣ対応装置に音楽ファイルをダウンロードすることとを含む、方法。
【請求項８】
前記方法は、前記音楽ファイルのライブラリ内に、削除された音楽ファイルのコピーをストリーミングするための選択可能なオプションを提供することをさらに含む、請求項７に記載の方法。
【請求項９】
前記選択可能なオプションは、前記ユーザが所有する音楽ファイルとは別に表示され、第１の表示の特徴は、任意の時間でのプレイが利用可能なものとして音楽ファイルを特徴付けし、第２の表示の特徴は、一時的なストリーミングが利用可能なものとして、削除された音楽ファイルのコピーを特徴付ける、請求項８に記載の方法。
【請求項１０】
前記方法は、前記ＮＦＣ対応装置を利用して、前記サーバシステムを通じて、前記削除された音楽ファイルのコピーを再購入するための選択可能なオプションを提供することをさらに含む、請求項７に記載の方法。
【請求項１１】
前記ＮＦＣチップは、ＮＦＣビーズを形成するためにポリマーでハウジングされる、請求項７に記載の方法。
【請求項１２】
近接場通信（ＮＦＣ）対応装置間で音楽ファイルを送信するための方法であって、
前記方法は、
ａ）音楽ファイルのライブラリを搭載したＮＦＣ対応装置と、ＮＦＣ識別子（ＮＦＣ-ＩＤ）により符号化されたＮＦＣチップとを提供することと、
ｂ）前記音楽ファイルのライブラリから音楽ファイルのプレイリストを生成することと、
ｃ）サーバシステム上のプレイリストに、プレイリストＩＤ、送信コードおよびＮＦＣ識別子を割り当てることと、
ｄ）前記ＮＦＣチップに前記プレイリストＩＤをセーブすることと、
ｅ）後続のＮＦＣ対応装置および近接場通信を利用して、前記ＮＦＣチップから前記プレイリストＩＤを受信することと、
ｆ）前記後続のＮＦＣ対応装置に前記送信コードを入力することと、
ｇ）前記サーバシステム上の前記ＮＦＣ-ＩＤ、前記プレイリストＩＤおよび前記送信コードを認証することと、
ｈ）前記後続のユーザへの音楽ファイルの送信を確認するために、前記サーバシステムから、前記ＮＦＣ対応装置に許可要求を送り、承認された場合、
ｉ）前記音楽ファイルのライブラリから前記音楽ファイルを削除することと、
ｊ）前記後続のユーザのアカウントに前記音楽ファイルを登録することであって、前記登録により前記音楽ファイルの所有権を更新することとを含む、方法。
【請求項１３】
前記方法は、長期メモリに前記音楽ファイルをダウンロードすることなく、前記削除された音楽ファイルのコピーをストリーミングするための選択可能なオプションを前記音楽ファイルのライブラリ内に提供することをさらに含む、請求項１２に記載の方法。
【請求項１４】
前記選択可能なオプションは、前記ユーザが所有する音楽ファイルとは別に表示され、第１の表示の特徴は、任意の時間でのプレイが利用可能なものとして音楽ファイルを特徴付けし、第２の表示の特徴は、一時的なストリーミングが利用可能なものとして、削除された音楽ファイルのコピーを特徴付ける、請求項１３に記載の方法。
【請求項１５】
前記方法は、前記サーバシステムを通じて、前記削除された音楽ファイルのコピーを再購入するための選択可能なオプションを提供することをさらに含む、請求項１２に記載の方法。
【請求項１６】
前記ＮＦＣチップは、ＮＦＣビーズを形成するためにポリマーでハウジングされる、請求項１２に記載の方法。
【請求項１７】
近接場通信（ＮＦＣ）を利用して、最初の購入者に音楽ファイルを送信するための方法であって、
前記方法は、
ａ）ＮＦＣチップに固有のＮＦＣ識別子（ＮＦＣ-ＩＤ）を前記ＮＦＣチップに付与することと、
ｂ）音楽ファイルのグループを前記ＮＦＣ-ＩＤと購入コードのペアに割り当てることであって、前記ＮＦＣ-ＩＤと購入コードのペアが、前記音楽ファイルにアクセスし、送信するよう構成されたサーバシステムに保存されることと、
ｃ）前記音楽ファイルを再生するように構成された音楽共有ソフトウェアを搭載したＮＦＣ対応装置を利用して、前記ＮＦＣチップから前記ＮＦＣ-ＩＤを読み取ることと、
ｄ）前記ＮＦＣ対応装置に前記購入コードを入力することと、
ｅ）前記サーバシステムとの通信を通じて前記ＮＦＣ対応装置により受信した前記ＮＦＣ-ＩＤと購入コードのペアを認証し、認証された場合、
ｇ）前記ＮＦＣ対応装置のユーザに音楽ファイルを登録することであって、前記ユーザは、前記ＮＦＣ対応装置上の前記音楽ファイルを再生すること、および、オプション的に、任意の時間に再生するために、前記ＮＦＣ対応装置に前記音楽ファイルをダウンロードすることを許可される、方法。
【請求項１８】
前記ＮＦＣチップは、ＮＦＣビーズを形成するためにポリマーでハウジングされる、請求項１７に記載の方法。
【請求項１９】
前記購入コードは、近接場技術を利用して通信されない、請求項１７に記載の方法。
【請求項２０】
前記ＮＦＣ対応装置に前記購入コードを入力するステップの後に、前記サーバシステムにおいて、前記ＮＦＣ対応装置に固有のデバイスＩＤと、前記ＮＦＣ-ＩＤおよび購入コードのペアとをペアリングすることをさらに含む、請求項１７に記載の方法。
【請求項２１】
音楽共有ソフトウェアを搭載した近接場通信（ＮＦＣ）対応装置であって、前記音楽共有ソフトウェアは、
ａ）ＮＦＣチップからデータファイルを受信し、前記ＮＦＣチップに前記データファイルを書き込むように構成されたＮＦＣプログラミングと、
ｂ）音楽ファイルを再生するための音楽プレイヤーと、
ｃ）前記ＮＦＣチップに割り当てられたＮＦＣ-ＩＤと音楽ファイルのプレイリストに割り当てられたプレイリスト識別子（プレイリストＩＤ）とを１以上のデータベースに読み込むためのプログラミングと、
ｄ）前記受信したＮＦＣ-ＩＤおよび前記受信したプレイリストＩＤを１以上のデータベースと比較し、ペアが認可された場合、前記受信したプレイリストＩＤに割り当てられたプレイリストを起動させるためのクエリプログラミングと、
ｅ）前記プレイリストＩＤおよび前記ＮＦＣ-ＩＤを更新するためにサーバシステムと通信するための通信プログラミングと、
ｆ）ランダムな順序の数字、文字およびシンボルを含むデータ文字列を生成させる、ランダムなデータ文字列生成器と、を備える、ＮＦＣ対応装置。
【請求項２２】
前記音楽共有ソフトウェアは、プレイリストを生成させ、前記プレイリストにプレイリストＩＤを割り当てる、請求項２１に記載のＮＦＣ対応装置。